(57)【要約】安全で歩きやすく、かつ車椅子患者に対しても安全確実、敏速、柔軟に点滴スタンドと車椅子とが連結できる移動型点滴スタンドを提供する。  移動型点滴スタンドの基部ベースを歩きやすくするために、平面視略で手前側に開いた形状をなし、底面部に複数の移動可能なキャスターを設ける。車椅子と連結できるために、移動型点滴スタンドの固定支柱下部又基部ベース部に高さ調節可能にジョイント金具を設け車椅子のフットレストに柔軟に遊動係合できる様にする。
2012070260.tif 000002
【特許請求の範囲】
【請求項１】
床上を移動可能な点滴スタンドであって、基部ベース部の底面部に複数の移動可能なキャスターを設け、前記基部ベース部の中央部に固定支柱を立設し、前記固定支柱下方部又は前記基部ベース部に、上下動可能な回転軸を設け、ジョイント金具を前記回転軸に勘合し、手前側の車椅子のフットレストに回転係合可能とすることを特徴とする移動型点滴スタンド。
【請求項２】
前記ジョイント金具は左右の線材と横線材の少なくとも３本の線材で構成され、左右の線材は先端をＬ字状に下方に曲げて、前記左右の線材を結ぶ横線材が前後移動可能に固定できることを特徴とする請求項１記載の移動型点滴スタンド。
【請求項３】
前記基部ベース部は平面視で手前側に開いた左右両側のパイプを水平支持パイプで接合したことを特徴とする請求項１又は請求項２記載の移動型点滴スタンド。
【請求項４】
前記固定支柱の略上半分は手前側に位置し、下半分は外側に位置したことを特徴とする請求項１，請求項２又は請求項３記載の移動型点滴スタンド。
【請求項５】
前記固定支柱に設けたハンドル部は上下調節可能なことを特徴とする請求項１，請求項２、請求項３又は請求項４記載の移動型点滴スタンド。
【請求項６】
前記固定支柱の上半分の支柱内を可動支柱が上下調節可能に固定設置したことを特徴とする請求項１、請求項２、請求項３、請求項４又は請求項５記載の移動型点滴スタンド。
【請求項７】
前記固定支柱に上下調節可能に固定できる略リング状金具から左右両サイドにコの字状のパイプを下方に突出させた点滴コンポーネント保持金具を設置可能としたことを特徴とした請求項１，請求項２、請求項３、請求項４、請求項５又は請求項６記載の移動型点滴スタンド。
【発明の詳細な説明】
【技術分野】
【０００１】
本発明は車椅子と敏速かつ簡易に連結でき、車椅子の移動に伴い同時移動が可能で、また歩行時に安心して移動できる脚部形状を持つ移動型点滴スタンドにおける構造に関するものである。
【背景技術】
【０００２】
従来ある移動型点滴スタンドは四本脚、五本脚ベースに移動用のキャスターが設置され、ベース脚部中央に点滴輸液保持用のセンター支柱を立設されたものが多い。患者が点滴を受けながら、歩行するのには脚部やキャスターが妨げになり歩きにくく、特に手術後の回復期の歩行訓練では安全な歩行ができなく、点滴コンポーネント類の設置で重心が変動して支柱が前に倒れて安全な点滴歩行作業が出来なかった。車椅子の患者に対して点滴作業を行う場合、点滴支柱を車椅子の片側にセットされた専用の車椅子が必要であった。しかし車椅子の重心が片側に偏る為、操縦が困難でかつ多くの医療、点滴コンポーネント類が設置できなかった。車椅子患者は移動時に車椅子のフットレストを跳ね上げて、点滴スタンドの脚部に足をのせて点滴スタンドと連結して、点滴スタンドの支柱を持って、後ろから看護師、又は介護者が車椅子を操縦している。エレベーターへの移乗は看護師又は介護者と点滴を受けている患者とが点滴スタンドを転倒しないように支えて移乗している。多様なサイズの車椅子に移動型点滴スタンドが、車椅子の前にも、後ろにも、安全に簡単に、かつ柔軟に連結でき、患者が車椅子を操縦しても同時移動してくれ、看護師、又は介護者が車椅子の前側にも後ろ側に移動型点滴スタンドを設置して、車椅子を操縦しても同時移動してくれ、看護師、又は介護者が車椅子の操縦のみに専念して、安全に追従してくれる移動型点滴スタンドがない。特許文献２は、患者に負担がかかるし、特許文献４は車椅子の後に連結させて移動型点滴スタンドを接続できるものであるが、車椅子の前方にも後方にも敏速かつ簡易に連結できるものではなかった。特許文献３は車椅子対応ではない。又従来の移動型点滴スタンドは、手術後の回復期に使う複数の医療器具、点滴コンポーネント類が１本の支柱の上下方向に取り付けられているので重心位置が上になり、転倒しやすく、又歩行時前方が見えにくくて安全な歩行が確保できない。又使用後は点滴スタンドの脚部形状が五本脚や四本脚の為、病院内で収納場所をとっていた。
【先行技術文献】
【特許文献】
【０００３】
【特許文献１】米抄５，７０４，５７７
【特許文献２】実用新案登録第３１６１８３３号
【特許文献３】特表２０１０−５１４５３４
【特許文献４】特開２００９−１４２４０７
【発明の概要】
【発明が解決しようとする課題】
【０００４】
本発明は以上の点を踏まえ、点滴を受けながら車椅子患者に対して本発明の移動型点滴スタンドと車椅子とが安全確実、敏速、柔軟に連結でき、かつ歩行でも安全を確保でき、歩きやすく、複数の医療器具、点滴コンポーネントを設置しても転倒せず、容易に追加して取り付けられ、病院内で収納場所をとらずにネスティング収納可能な移動型点滴スタンドを課題とする。
【課題を解決するための手段】
【０００５】
点滴作業を受ける患者の歩行領域を十分確保できるために移動型点滴スタンドの基部ベース部は平面視で手前側が開いた形状とし、底面に移動用キャスターを複数設置する。基部ベース上に固定支柱を立設し、略上半分は手前側に位置し、下半分は外側に位置させて上半分の固定支柱に上下調節可能なハンドル部を固定設置することで、下肢空間が確保できて歩行しやすく、かつ固定支柱の上部に複数の点滴コンポーネント類を設置しても、重心の側面位置が基部ベース部の中心になるので安全で転倒防止できる。車椅子の患者に対しては、車椅子の前方に移動型点滴スタンドを縦列位置に設置する場合、車椅子のフットレストの様々な位置、サイズ、角度に対応できるように、本発明の移動型点滴スタンドの基部ベース部の左右両側のパイプ中央部の上面に両端を下方に曲げた水平支持パイプを固着させ、その中央部に固定支柱を立設し、固定支柱下方部に水平支持パイプと平行に回転軸を上下動可能に固定設置して、ジョイント金具を回転軸に勘合し、車椅子と連結しない場合は垂直上方において回転ラッチ接合させ、車椅子と連結する時は手前側の車椅子のフットレストに回転係合可能とする。フットレストの高さ、角度に対してはジョイント金具の回転軸の位置を上下調節して固定する。フットレストの奥行きサイズはジョイント金具の左右線材中央部の横線材が前後移動可能に固定する。また車椅子の後方に縦列位置に設置する場合はジョイント金具を上方へ回転ラッチさせて、車椅子の後ろ車輪の本体フレームに本発明の移動型点滴スタンドの基部ベース部を入れて、移動型点滴スタンドのハンドル高さ位置を調節し、車椅子のハンドルと近接させる事で看護師、又は介護者は車椅子と移動型点滴スタンド双方のハンドル操縦が同時に楽に行える。点滴コンポーネントが容易に追加取り付けられる為に、固定支柱に上下調節可能に固定できる略リング状金具から左右両サイドにコの字状のパイプを平面視略Ｖ字状に設置し下方に突出させた点滴コンポーネント保持金具を設置する。また病院内で場所をとらずに収納するため、基部ベース部の構造を平面視で手前側が開いた形状として、ネスティング収納ができる移動型点滴スタンドとする。
【発明の効果】
【０００６】
本発明による移動型点滴スタンドでは車椅子患者に対しては点滴スタンドを前側にも、後ろ側にも簡単に連結でき、前側に連結する場合は、車椅子の多様なフットレストに対して、柔軟に係合し、敏速に連結できる為、患者自身が一人で移動可能であり、又患者自身が車椅子を操縦できない場合は、看護師、又は介護者が車椅子の操縦に専念できる。また車椅子の後方に縦列位置に接続する場合も移動型点滴スタンドのハンドル位置を調節し、車椅子のハンドルと近接させて看護師、又は介護者が同時操縦することができる。又歩行訓練が必要な患者に対しては下肢空間が確保でき、歩きやすく、安全にかつ転倒の危険が無く、点滴しながら歩行訓練ができる。固定支柱下部に、左右両側にサイドフレームを設けて、手術後の患者の回復期に医療、点滴コンポーネント類を複数取り付けられる。これらのコンポーネント類は固定支柱の下方に設置できるため重心位置がより下になるため転倒に対して安全なものになる。点滴コンポーネント保持金具は平面視Ｖ字上の形状で下方に突出したパイプであるので複数の点滴コンポーネント類を並列設置できるので、重心がより下方になり移動時の転倒に対して安全である。又、脚部や支柱本体フレームがネスティングできる構造であるので、省スペース収納の効果がある。
【図面の簡単な説明】
【０００７】
図１は実施例１の移動型点滴スタンド斜視図
図２は実施例１の移動型点滴スタンド平面図
図３は実施例１の移動型点滴スタンド正面図
図４は実施例１の移動型点滴スタンド側面図
図５は実施例１の基部ベース部と固定支柱部斜視図
図６は実施例２の移動型点滴スタンド斜視図
図７は実施例２の基部ベースとコンパクトハンドル平面図
図８はジョイント金具回転軸のストッパー詳細側面図
図９はジョイント金具
図１０は固定型ジョイント金具
図１１は実施例１の移動型点滴スタンドと車椅子の連結斜視図
図１２は実施例２の移動型点滴スタンドと車椅子の連結途中時斜視図
図１３は車椅子と実施例１の後ろ位置連結図
図１４は実施例１の移動型点滴スタンドのネスティング図
図１５は実施例２の移動型点滴スタンドのネスティング図
【発明を実施するための形態】
【０００８】
図１〜図４は本発明の移動型点滴スタンドに適した実施例１を示しており、このうち図１は移動型点滴スタンド斜視図、図２は同平面図、図３は同正面図、図４は側面図を示す。図６は本発明の実施例２のコンパクト型基部ベース部とコンパクトハンドルを設置した移動型点滴スタンド、図７はその基部ベース部の平面図、図８はジョイント金具１７，１８の回転軸２０のストッパー２１の詳細図、図９は車椅子のフットレストと連結するジョイント金具１７、図１０はその固定型ジョイン金具１８を示す。
本実施例１に係る移動型点滴スタンドの基本構成は、図１に示すように基部ベース部１、キャスター２、水平支持パイプ３、固定支柱６、サイドフレーム４、ハンドル１１、可動支柱７、点滴コンポーネント保持金具１４、ジョイント金具１７または固定型ジョイント金具１８とその取り付け部の回転軸２０、回転軸固定チャンネル２３より構成される。基部ベース部１は平面視で手前側が開いた形状とし本実施例１では図２で平面視が略逆Ｕ字形のパイプで手前側が八の字形に開いた形状を成し、底面部に左右対で手前側に２個、先端部両側に２個の合計４個の移動可能なキャスター２を設けている。図５は基部ベース部１の左右両側のパイプ中央の上面に両端を下方に曲げた水平支持パイプ３を固着させ、その中央部に固定支柱６を立設している。固定支柱６は固定支柱支持リング９と水平支持パイプ３の中央部上面に設けたガイドパイプ２８に挿入し、ネジで固定されて垂直に設置され、中央部よりやや下方で６ｃｍほど手前側に折れ曲がり、又垂直上方に折れ曲がって、下方の固定支柱６と平行に立設している。以上の構成で重心の平面位置が基部ベース部１に設置した４個のキャスター２位置の略中心になし、かつ歩行者の手前側の下肢空間が確保される。折れ曲がっている下の固定支柱６の上部から左右両側方向にサイドフレーム４を水平に１５ｃｍほど伸ばし、下方に屈曲させ水平支持パイプ３の両端部と固着している。図５に示すようにサイドフレーム４の左右水平エンド部両側に医療コンポーネント類を掛けるサイドフレームフック５が設けられていて固定支柱６の前方下部面にその保持面を構成している。サイドフレームフック５は医療コンポーネント類のチューブ類が基部ベース部のキャスター２に絡むのを防ぐために引っ掛けて整理することもできる。
図６では実施例２の基部ベース部とコンパクトハンドル１２を持つ移動型点滴スタンドを示す。実施例２の基部ベースは、実施例１の先端のつなぎ部をカットし、八の字状とし、左右のパイプの手前側を実施１より短くして、幅方向を縮小させ、水平支持パイプ３の中央手前側から１本の脚部を手前側に伸ばし、先端部底面を他の４本と同一面になるようにし、各々先端部底面にキャスター２を設置し、図７に示す様に、正五角形に比べ左右パイプの先端部の閉じ角度が正五角形より略１５度ほど小さく、変形五角形になるように設置している。変形五角形基部ベースに至っては前後の転倒安定性を保ちつつ、手前側の左右の歩行スペースを確保し歩きやすい形状で、奥行きは略同じで、横幅方向のコンパクト性を向上させた形状を提供する。
図１、図３、図４、図５に示すように固定支柱６の手前最下部にジョイント金具１７、１８が手前に回転するように、水平支持パイプ３と平行に回転軸２０が上下調節可能に固定できるように、回転軸固定チャンネル２３を固定支柱６の下部に複数のネジ穴１６に固定設置、または固定支柱６のパイプ表面にネジつきハンドルで締め付けて固定設置し車椅子３１の多様なフットレスト３２の高さ、角度に合うように調節、固定する。図９に示すようにジョイント金具１７の基本構成は回転軸固定チャンネル２３の下端に固着されている回転軸２０に左右線材２９が勘合し、可動左右線材３０が左右線材２９の内側に固着されているガイドパイプ２８に勘合して、圧縮バネ２７で常に回転軸２０のほうに押圧されてセットされている。車椅子と連結しない場合には、ジョイント金具１７は垂直上方においてジョイント金具キャッチ２４と横線材２５が回転ラッチ接合して歩行の邪魔にならない様に下肢空間を得ることができる。車椅子３１のフットレスト３２と連結する場合には、ジョイント金具１７は回転ラッチをはずし、手前側の車椅子３１のフットレスト３２に固定横線材２６の両側の縦材と可動側の可動左右線材３０のＬ字状に曲がった部分で回転係合して連結される。図８に示すように回転軸２０はジョイント金具１７、１８が最下角度以下に回転落下しないように両端部に回転ストッパー２１が設けられている。
図９に示すようにジョイント金具１７は回転軸２０に勘合された左右線材２９と固定横線材２６は１本の線材で構成され、ガイドパイプ２８がそれぞれ左右線材２９の内側に固着され、可動左右線材３０がガイドパイプ２８に沿って、圧縮バネ２７を挿入されて回転軸方向の先をネジで固定し、反対側は先端をＬ字状に下方に曲げて先に球状玉を設けている。車椅子３１のフットレスト３２の奥行き幅に合致するように可動側の横線材２５を前後調節して圧縮バネで圧接できる。図１０は別の実施例であり固定型のジョイント金具で左右の線材と横線材の少なくとも３本の線材で構成され、左右の線材は先端をＬ字状に下方に曲げて先に球状玉を設けて車椅子３１のフットレスト３２に係合しやすい様に、かつ係合時の患者の足部の安全のために設けている。図９、図１０に示すように左右のＬ字部はお互いに平面視略３０度内側に曲げられている。これは車椅子３１の前後の移動により車椅子３１の前輪３４が前方に回動し、その外輪先端部がジョイント金具１７、又は固定型ジョイント金具１８のＬ字部と干渉するのを避けるためである。以上で車椅子３１のフットレスト３２の大きさ、角度、設置高さの違いによる連結が柔軟に可能となる。図９のアジャスト型、または図１０の固定型の選択は使用者が設置時に選択できる。ジョイント金具１７および固定型ジョイント金具１８の左右Ｌ字形先端の内側がお互いにつながらずに開いていることで、連結時に車椅子患者がフットレスト３２から脚を上げずに連結をしたり、はずしたりすることが出来る。ジョイント金具１７および固定型ジョイント金具１８と車椅子のフットレス３２は略上下動自在に成りえる為に本発明の移動型点滴スタンドと車椅子の連結追従性は剛体的でなく遊動係合しているため、柔軟に追従し、床面の凸凹に対して互いに影響を及ぼさない。また車椅子の前進移動で急停止をした場合、本発明の点滴スタンドは前方に慣性力を受けるがジョイント金具１７または固定型ジョイント金具１８の回転ストッパー２１で下方の回転が止まる為、本発明の移動型点滴スタンドの固定支柱６と前方転倒角度が縮まらないため前方転倒の問題はない。
図１、図３、図４の示すように固定支柱６の上半分にハンドル１１を患者の身体状態に合わせる為に、上下調節、固定が出来るようにハンドル調節パイプの左右両サイドに略３８ｃｍの全幅を有するリング状のパイプで把持部を設け、固定支柱６に勘合させてハンドル上下調節ノブ１３で固定する。
図１の示すように固定支柱６の上半分の支柱内を可動支柱７が上下調節可能に固定設置し、上端にＴ字形に水平バーを設けその下方に点滴輸液を吊るす吊り下げフック１０を設ける。固定支柱部には可動支柱７の高さを調節し固定支柱６と可動支柱７を勘合固定する為のねじ部を固定支柱上端に設け、可動支柱固定ノブ８にて、固定される。
図１、図３、図４に示すように固定支柱６に上下調節可能に固定できる点滴コンポーネント保持金具１４は、略リング状金具から左右両サイドにコの字上のパイプを平面視略Ｖ字状に設置し、下方に突出させて構成し、固定支柱６と勘合して保持金具上下調節ノブ１５にて固定される。複数の点滴コンポーネントは従来の点滴スタンドのように１本の支柱に設置するより左右２本のパイプに設置したほうが重心の位置を低くでき、かつ歩行者や車椅子を操縦する人に対して前方が見えやすく安全に移動ができる。Ｖ字状に設置することでハンドル１１、コンパクトハンドル１２の高さ位置が点滴コンポーネントと干渉することなく設置できる。
車椅子３１の前方に本発明の移動型点滴スタンドを連結する場合、図１１、図１２に示すようにジョイント金具１７または固定型ジョイント金具１８を上部のジョイント金具キャッチ２４から前方に倒し車椅子３１のフットレスト部３２に上から係合して連結する。このときの車椅子と本発明の移動型点滴スタンドの位置関係は、略基部ベース部１の手前パイプ端部と車椅子３１の前輪キャスター３４が回転しても接触しない位置関係になる。又車椅子３１の動きに対して柔軟に遊動接合し、故意にジョイント金具１７、または固定型ジョイント金具１８をフットレスト３２から持ち上げてはずさない限り、フットレスト３２から外れる事はない。
車椅子３１の後方に本発明の本体を接合する場合、図１３のように車椅子３１の後ろ側の本体フレーム、または車椅子３１の大車輪３５の間に本発明の基部ベース部１を挟み入れ、ハンドル１１を車椅子３１のハンドル３３の高さにあわせて近接させる。車椅子によっては位置関係、サイズにより、図１３の様に本発明のハンドル１１は略１８０度回転させた位置に調節してお互いの機器のハンドルを近接させて同時に操縦することが出来る。
歩行可能な患者に対しては、本発明の移動型点滴スタンドからジョイント金具取り付け部全体を固定支柱部６からとりはずして使用できる。点滴コンポーネント保持金具１４がいらない患者に対しても取り外すことで重量が軽減でき移動することが楽になる。
本発明の構造はネスティング収納可能な構造であり、病院等での使用後の収納はジョイント金具１７または固定型ジョイント金具１８を上方にジョイント金具チャッチ２４と回転ラッチ接合させた状態で図１４、図１５のごとく整列して収納できる。
【産業上の利用可能性】
【０００９】
本発明は医療用の移動型点滴スタンドと多様なサイズの車椅子との連結方法の一案であるが病院内で多忙な看護師、介護士に少しでも本来の仕事に集中すべく、楽に車椅子と連結できる機器類に対して安価でシンプルで柔軟に利用可能である。
【符号の説明】
【００１０】
１  基部ベース部
１ａ  実施例２の基部ベース部
２  キャスター
３  水平支持パイプ
４  サイドフレーム
５  サイドフレームフック
６  固定支柱
７  可動支柱
８  可動支柱固定ノブ
９  固定支柱支持リング
１０  吊り下げフック
１１  ハンドル
１２  コンパクトハンドル
１３  ハンドル上下調節ノブ
１４  点滴コンポーネント保持金具
１５  点滴コンポーネント保持金具上下調節ノブ
１６  ジョイント金具高さ調節ネジ穴
１７  ジョイント金具
１８  固定型ジョイント金具
２０  回転軸
２１  回転軸ストッパー
２２  ジョイント金具上下調節ノブ
２３  回転軸固定チャンネル
２４  ジョイント金具チャッチ
２５  横線材
２６  固定横線材
２７  圧縮バネ
２８  ガイドパイプ
２９  左右線材
３０  可動左右線材
３１  車椅子
３２  フットレスト
３３  車椅子ハンドル
３４  車椅子前輪キャスター
３５  大車輪
【図１】
2012070260.tif 000003
【図２】
2012070260.tif 000004
【図３】
2012070260.tif 000005
【図４】
2012070260.tif 000006
【図５】
2012070260.tif 000007
【図６】
2012070260.tif 000008
【図７】
2012070260.tif 000009
【図８】
2012070260.tif 000010
【図９】
2012070260.tif 000011
【図１０】
2012070260.tif 000012
【図１１】
2012070260.tif 000013
【図１２】
2012070260.tif 000014
【図１３】
2012070260.tif 000015
【図１４】
2012070260.tif 000016
【図１５】
2012070260.tif 000017
【国際調査報告】
2012070260.tif 000018
2012070260.tif 000019
2012070260.tif 000020
2012070260.tif 000021